(57)【特許請求の範囲】
【請求項１】
現金投票所に設置した勝馬投票端末機と通信回線を介して交信し、その端末機からのアクセス信号に応答する投票応答サブシステムとから構成される勝馬投票システムにおいて、
前記勝馬投票端末機は、前記投票応答サブシステムと通信回線を介して交信するためのモデムを含む通信回線接続部と、ユーザが投票券の購入或はそのアレンジ組合せ要求を少なくとも選択できる表示部及び入力装置部と、その投票券の購入データ或はアレンジ組合せ購入に必要なユーザ購入条件が記入されたマークカードを読込むカードリーダ部と、現金投入口から投入された現金を収納すると共にその金額を計数する現金計数収納部と、制御指令により投票券又はそのレシートを排出する発券機部と、ユーザからの投票券の購入或はそのアレンジ要求を受け、ユーザの購入金額或は購入条件データによる購入金額を確認してそのデータを前記投票応答サブシステムへ送信し、そのサブシステムによってユーザが指定した投票券の受付処理結果或は生成された投票券アレンジ結果データと共に、そのアレンジ投票券による投票券受付処理結果とを受信し、それらの結果データに基づいて投票券又はそのレシートを排出させる中央制御部とを少なくとも備え、前記投票応答サブシステムは、競馬場施設内外の投票発券データ発信端末から送信される投票データを集計する計算センタ及び投票に必要な情報を蓄積する情報センタよりなる総合センタのホスト計算機システムと交信するための専用回線接続部と、
前記投票端末機からの各アクセス信号に応答するための通信回線接続部と現金投票所に設置した投票端末機からの投票券購入申込或は投票券アレンジ組合せ購入申込のアクセス信号を受信し、投票券アレンジが選択されている場合は、ユーザ指定場名・指定レースＮｏ．に関する最新の投票情報をホスト計算機システムから受信して、ユーザの指定した購入条件の式別と投票合計金額に少なくとも基づいて、投票券購入アレンジを行い、何れの申込に対してもそれら投票券受付購入処理をホスト計算機システムへ送信して行い、受付Ｎｏ．を受信して前記勝馬投票端末機へ返信を行う投票券アレンジ対応投票コンピュータとを少なくとも備え、
前記投票券購入アレンジは、場名、レース番号、式別、投票合計金額のユーザ必須記入欄と、少なくとも優先馬番号のユーザ任意記入欄とにユーザがユーザ購入条件を記入した前記マークカードを読込み、選択した式別とその馬番号記入欄へのユーザ記入の有無或は記入優先番号を基に、所定のアルゴリズムを設定し自動的に計算させアレンジを行うことを特徴とするユーザ購入条件による投票券組合せアレンジ機能を備える勝馬投票システム。
【請求項２】
前記投票応答サブシステムは投票券購入申込或は投票券アレンジ組合せ及びその購入申込アクセス信号を受信する選択購入要求受信手段と、投票券アレンジが選択されている場合は、ユーザ指定場名・指定レースＮｏ．に関する最新の投票情報をホスト計算機システムに接続し受信する最新投票情報受信手段と、
前記最新投票情報受信手段による最新投票情報によりユーザ指定購入条件の式別及び投票合計金額に少なくとも基づいて投票券購入組合せアレンジを自動的に行う投票券アレンジ手段と、
ユーザの指定投票券或は投票券アレンジで生成された投票券データを送信しホスト計算機システムに受付処理を行わせ、その受付Ｎｏ．と結果データ受信する投票券受付処理手段と、
その投票券受付Ｎｏ．と、結果データをそのユーザの勝馬端末機へ返信する投票券処理結果通知手段とを備えることを特徴とする請求項１記載のユーザ購入条件による投票券組合せアレンジ機能を備える勝馬投票システム。
【請求項３】
ユーザ会員の勝馬投票端末機と通信回線を介して交信し、その端末機からのアクセス信号に応答する投票応答サブシステムから構成される勝馬投票システムにおいて、
前記勝馬投票端末機は、前記投票応答サブシステムと通信回線を介して交信するためのモデムを含む通信回線接続部と、その投票端末機と投票応答サブシステム間の交信を予め定めた入力項目のあるデータ入力画面に逐次入力してデータ送受信を行う手順を記録した投票情報照会応答ソフトを少なくともインストールしたディスク装置と、その応答ソフトを動作させ、表示部へ表示されたメニューによりユーザに対して投票券の購入或はそのアレンジ組合せ要求を少なくとも選択させ、そのデータと共にそのユーザの会員ＩＤ及びパスワードとを前記投票応答サブシステムへ送信し、そのサブシステムによってユーザが指定した投票券の受付処理結果或は生成された投票券アレンジ結果データ及びそのアレンジデータによる投票券受付処理結果を受信し、それらの結果データに基づいて投票結果の詳細データと、会員のロック口座の残高とを受信し表示する中央制御部とを少なくとも備え、前記投票応答サブシステムは、競馬場施設内外の投票発券データ発信端末から送信される投票データを集計する計算センタ及び投票に必要な情報を蓄積する情報センタよりなる総合センタのホスト計算機システムと交信するための専用線接続部と、前記投票端末機からの各アクセス信号に応答するための通信回線接続部と、前記応答ソフトが動作するユーザ会員端末機からの投票券購入申込或は投票券アレンジ組合せ購入申込のアクセス信号を受信し、その会員を前記ＩＤ・パスワードにより会員データベースを検索して認証し、投票券アレンジが選択されている場合はユーザ指定場名・指定レースＮｏ．に関する最新の投票情報をホスト計算機システムから受信して、ユーザの指定した購入条件の式別、投票合計金額に少なくとも基づいて投票券購入アレンジを行い、何れの申込に対してもその会員の前記ロック口座残高を会員データベースにより確認し、それら投票券受付購入処理をホスト計算機システムへ送信して行わせ、受付Ｎｏ．を受信して、前記ユーザの投票端末機へ返信を行う投票券アレンジ対応投票コンピュータとを少なくとも備え、
前記投票券購入アレンジは、入力画面の、場名、レース番号、式別、投票合計金額のユーザ必須入力欄と、少なくとも優先馬番号のユーザ任意入力欄とにユーザがユーザ購入条件を入力した前記アレンジ組み合わせを受信し、選択した式別とその馬番号記入欄へのユーザ入力の有無或は記入優先番号を基に、所定のアルゴリズムを設定し自動的に計算させアレンジを行うことを特徴とするユーザ購入条件による投票券組合せアレンジ機能を備える勝馬投票システム。
【請求項４】
前記投票応答サブシステムは投票券購入申込或は投票券アレンジ組合せ及びその購入申込アクセス信号を受信する選択購入要求受信手段と、前記手段により受信したユーザのＩＤ・パスワードを会員データベースより検索してユーザ認証を行うユーザ認証手段と、
投票券アレンジが選択されている場合はユーザ指定場名・指定レースＮｏ．に関する最新の投票情報をホスト計算機システムに接続し受信する最新投票情報受信手段と、
最新投票情報受信手段による最新投票情報によりユーザ指定購入条件の式別及び投票合計金額に少なくとも基づいて投票券購入組合せアレンジを自動的に行う投票券アレンジ手段と、
ユーザの指定投票券或は投票券アレンジで生成された投票券に基づいた合計購入金額が前記ロック口座残高範囲内かを会員データベースにより確認するロック口座確認手段と、
前記投票等の受付処理をホスト計算機システムへ送信して行わせ、受付Ｎｏ．処理データを受信する投票券受付処理手段と、
その投票券受付Ｎｏ．と処理結果をそのユーザの勝馬投票端末機へ返信する投票券処理結果通知手段とを備えることを特徴とする請求項３記載のユーザ購入条件による投票券組合せアレンジ機能を備える勝馬投票システム。
【発明の詳細な説明】
【０００１】
【発明の属する技術分野】
本発明は、現金投票所に設置した勝馬投票端末機及びユーザ会員の勝馬投票端末機と、それら端末機と通信回線を介して交信し、その端末機からのアクセス信号に応答する投票データを収集するホスト計算機に接続された投票応答サブシステムとから構成される勝馬投票システムに関する。とくに、ユーザ購入条件による投票券組合せアレンジ機能を備える勝馬投票システムに関する。
【０００２】
【従来の技術】
従来、現金投票所に設置した投票端末機での投票では、購入したい馬番や枠番をマークカードに記入して読込ませて勝馬投票券の購入を行なっていた。そのマーク記入作業は複雑且つ面倒であった。特に発売式別の増加により複雑さが増していた。このため、ビギナーや女性ファンからもっと簡単に投票したいとの希望が多かった。
【０００３】
また、会員制によるユーザの投票端末機により、予め投票券の購入料金をレース前日までに銀行へ振込むロック口座を設けて、投票券の購入を行う会員の場合であっても、オッズを確認したり、組合せを考慮するために時間を費やしていた。
【０００４】
すなわち、投票内容をユーザが指定する購入金額内で、レース番号毎、馬連、馬単、ワイド、３連複などの式別の指定と投票に当たっての優先条件を指定し、組合せをアレンジする作業を勝馬投票を管理運営する側の投票応答サブシステムに委ねるような投票券アレンジ機能を備える投票システムが要望されていた。
【０００５】
【発明が解決しようとする課題】
本発明は前述した問題点に鑑みてなされたものであり、その目的とするところは、現金投票所に設置した勝馬投票端末機及びユーザ会員の勝馬投票端末機と通信回線を介し受信し、その端末機からのアクセス信号に応答する投票データを収集するホスト計算機に接続された投票応答サブシステムとから構成される勝馬投票システムにおいてユーザが端末機から投票券を購入するに際し、購入金額とその投票券購入条件をユーザが入力するだけで、勝馬投票を管理運営する側の前記投票応答サブシステムが購入投票券組合せアレンジを一定のアルゴリズムにより自動的に行って投票処理を行う手段を提供することを課題とする。
【０００６】
また、ユーザの投票券購入条件は競馬場名、レース番号、式別、金額とし、それに優先馬番号や本命・中穴・大穴のプランの選択項目指定を行なうことを課題とする。
【０００７】
【課題を解決するための手段】
本発明のユーザ購入条件による投票券組合せアレンジ機能を備える勝馬投票システムは、現金投票所に設置した勝馬投票端末機と通信回線を介して交信し、その端末機からのアクセス信号に応答する投票応答サブシステムとから構成される勝馬投票システムにおいて、
前記勝馬投票端末機は、前記投票応答サブシステムと通信回線を介して交信するためのモデムを含む通信回線接続部と、ユーザが投票券の購入或はそのアレンジ組合せ要求を少なくとも選択できる表示部及び入力装置部と、その投票券の購入データ或はアレンジ組合せ購入に必要なユーザ購入条件が記入されたマークカードを読込むカードリーダ部と、現金投入口から投入された現金を収納すると共にその金額を計数する現金計数収納部と、制御指令により投票券又はそのレシートを排出する発券機部と、ユーザからの投票券の購入或はそのアレンジ要求を受け、ユーザの購入金額或は購入条件データによる購入金額を確認してそのデータを前記投票応答サブシステムへ送信し、そのサブシステムによってユーザが指定した投票券の受付処理結果或は生成された投票券アレンジ結果データと共に、そのアレンジ投票券による投票券受付処理結果とを受信し、それらの結果データに基づいて投票券又はそのレシートを排出させる中央制御部とを少なくとも備え、前記投票応答サブシステムは、競馬場施設内外の投票発券データ発信端末から送信される投票データを集計する計算センタ及び投票に必要な情報を蓄積する情報センタよりなる総合センタのホスト計算機システムと交信するための専用回線接続部と、
前記投票端末機からの各アクセス信号に応答するための通信回線接続部と現金投票所に設置した投票端末機からの投票券購入申込或は投票券アレンジ組合せ購入申込のアクセス信号を受信し、投票券アレンジが選択されている場合は、ユーザ指定場名・指定レースＮｏ．に関する最新の投票情報をホスト計算機システムから受信して、ユーザの指定した購入条件の式別と投票合計金額に少なくとも基づいて、投票券購入アレンジを行い、何れの申込に対してもそれら投票券受付購入処理をホスト計算機システムへ送信して行い、受付Ｎｏ．を受信して前記勝馬投票端末機へ返信を行う投票券アレンジ対応投票コンピュータとを少なくとも備え、
前記投票券購入アレンジは、場名、レース番号、式別、投票合計金額のユーザ必須記入欄と、少なくとも優先馬番号のユーザ任意記入欄とにユーザがユーザ購入条件を記入した前記マークカードを読込み、選択した式別とその馬番号記入欄へのユーザ記入の有無或は記入優先番号を基に、所定のアルゴリズムを設定し自動的に計算させアレンジを行うことを特徴とする。
【０００８】
また、前記投票応答サブシステムは投票券購入申込或は投票券アレンジ組合せ及びその購入申込アクセス信号を受信する選択購入要求受信手段と、
投票券アレンジが選択されている場合は、ユーザ指定場名・指定レースＮｏ．に関する最新の投票情報をホスト計算機システムに接続し受信する最新投票情報受信手段と、
前記最新投票情報受信手段による最新投票情報によりユーザ指定購入条件の式別及び投票合計金額に少なくとも基づいて投票券購入組合せアレンジを自動的に行う投票券アレンジ手段と、
ユーザの指定投票券或は投票券アレンジで生成された投票券データを送信しホスト計算機システムに受付処理を行わせ、その受付Ｎｏ．と結果データ受信する投票券受付処理手段と、
その投票券受付Ｎｏ．と、結果データをそのユーザの勝馬端末機へ返信する投票券処理結果通知手段とを備えることを特徴とする。
【０００９】
また、ユーザ会員の勝馬投票端末機と通信回線を介して交信し、その端末機からのアクセス信号に応答する投票応答サブシステムから構成される勝馬投票システムにおいて、
前記勝馬投票端末機は、前記投票応答サブシステムと通信回線を介して交信するためのモデムを含む通信回線接続部と、その投票端末機と投票応答サブシステム間の交信を予め定めた入力項目のあるデータ入力画面に逐次入力してデータ送受信を行う手順を記録した投票情報照会応答ソフトを少なくともインストールしたディスク装置と、その応答ソフトを動作させ、表示部へ表示されたメニューによりユーザに対して投票券の購入或はそのアレンジ組合せ要求を少なくとも選択させ、そのデータと共にそのユーザの会員ＩＤ及びパスワードとを前記投票応答サブシステムへ送信し、そのサブシステムによってユーザが指定した投票券の受付処理結果或は生成された投票券アレンジ結果データ及びそのアレンジデータによる投票券受付処理結果を受信し、それらの結果データに基づいて投票結果の詳細データと、会員のロック口座の残高とを受信し表示する中央制御部とを少なくとも備え、前記投票応答サブシステムは、競馬場施設内外の投票発券データ発信端末から送信される投票データを集計する計算センタ及び投票に必要な情報を蓄積する情報センタよりなる総合センタのホスト計算機システムと交信するための専用線接続部と、前記投票端末機からの各アクセス信号に応答するための通信回線接続部と、前記応答ソフトが動作するユーザ会員端末機からの投票券購入申込或は投票券アレンジ組合せ購入申込のアクセス信号を受信し、その会員を前記ＩＤ・パスワードにより会員データベースを検索して認証し、投票券アレンジが選択されている場合はユーザ指定場名・指定レースＮｏ．に関する最新の投票情報をホスト計算機システムから受信して、ユーザの指定した購入条件の式別、投票合計金額に少なくとも基づいて投票券購入アレンジを行い、何れの申込に対してもその会員の前記ロック口座残高を会員データベースにより確認し、それら投票券受付購入処理をホスト計算機システムへ送信して行わせ、受付Ｎｏ．を受信して、前記ユーザの投票端末機へ返信を行う投票券アレンジ対応投票コンピュータとを少なくとも備え、
前記投票券購入アレンジは、入力画面の、場名、レース番号、式別、投票合計金額のユーザ必須入力欄と、少なくとも優先馬番号のユーザ任意入力欄とにユーザがユーザ購入条件を入力した前記アレンジ組み合わせを受信し、選択した式別とその馬番号記入欄へのユーザ入力の有無或は記入優先番号を基に、所定のアルゴリズムを設定し自動的に計算させアレンジを行うことを特徴とする。
【００１０】
また、前記投票応答サブシステムは投票券購入申込或は投票券アレンジ組合せ及びその購入申込アクセス信号を受信する選択購入要求受信手段と、
前記手段により受信したユーザのＩＤ・パスワードを会員データベースより検索してユーザ認証を行うユーザ認証手段と、
投票券アレンジが選択されている場合はユーザ指定場名・指定レースＮｏ．に関する最新の投票情報をホスト計算機システムに接続し受信する最新投票情報受信手段と、
最新投票情報受信手段による最新投票情報によりユーザ指定購入条件の式別及び投票合計金額に少なくとも基づいて投票券購入組合せアレンジを自動的に行う投票券アレンジ手段と、
ユーザの指定投票券或は投票券アレンジで生成された投票券に基づいた合計購入金額が前記ロック口座残高範囲内かを会員データベースにより確認するロック口座確認手段と、
前記投票等の受付処理をホスト計算機システムへ送信して行わせ、受付Ｎｏ．処理データを受信する投票券受付処理手段と、
その投票券受付Ｎｏ．と処理結果をそのユーザの勝馬投票端末機へ返信する投票券処理結果通知手段とを備えることを特徴とする。
【００１１】
【発明の実施の形態】
本発明の実施の形態を以下図に基づいて説明する。
【００１２】
図１は、本発明のユーザ購入条件による投票券組合せアレンジ機能を備える勝馬投票システムの第１の実施の形態を示し、図２は本発明の勝馬投票システムの第２の実施の形態を示す。
【００１３】
図１の本発明の第１の実施の形態について、以下に説明する。
【００１４】
１０は現金投票所に設置された投票端末機、４０はそれら投票端末機１０と通信回線９０を介してユーザの勝馬投票に応答する投票応答サブシステム、６０は現金投票所（競馬場内外にある）の投票発券データ発信端末群７０から通信回線を経由して投票データを収集する計算センタ及び競馬場開催日／場所／オッズ情報／レース結果などをデータベースに蓄積した情報センタからなる総合センタのホスト計算機システムである。
【００１５】
ここで、投票端末機１０は中央制御部１１、通信回線接続部１２、ディスク装置１３、カードリーダ１４、表示部及び入力装置１５、現金計数収納部１６、発券機部１７、それらを接続するバス１９よりなる。
【００１６】
さらに詳しくは、通信回線接続部１２は中央制御部１１からの指令により投票応答サブシステム４０に通信回線９０を経由して接続させるモデムを含む接続回路である。
【００１７】
また、表示部及び入力装置１５はユーザが表示部に表示されたメニューで少なくとも投票券の購入或はそのアレンジ組合せ購入要求選択信号をバス１９へ出力する。
【００１８】
また、カードリーダ部１４は、投票券の購入データ或は投票券アレンジ組合せ購入に必要なユーザ購入条件がユーザにより記入されたマークカードを読込みバス１９へ出力する。
【００１９】
また、現金計数収納部１６は現金投入口から投入された現金を収納すると共にその金額を計数し、その合計値をバス１９へ出力する。
【００２０】
また発券機部１７は中央制御部１２からの指令により投票券或はレシートを排出する。
【００２１】
また中央制御部１１は、ユーザからの投票券の購入或はそのアレンジ要求を受け（投票券購入選択信号応答手段１１ａ）、ユーザ購入金額或は購入条件データによる購入金額を確認して（現金収納確認手段１１ｂ）、そのデータを投票応答サブシステム４０へ送信し（投票データ送信手段１１ｃ）、そのサブシステム４０によってユーザが指定した投票券の受付処理結果、或は生成された投票券アレンジ結果データと共にアレンジ投票券による投票結果を受信し（投票結果受信手段１１ｄ）、その結果データに基づいて発券或はレシート排出を行う（投票レシート排出手段１１ｅ）。
【００２２】
一方、投票応答サブシステム４０は少なくとも、通信回線接続部４３、総合センタにあるホスト計算機システム６０との専用回線による接続部４４、データベース４２を備える投票券アレンジ対応投票コンピュータ４１とからなる。
【００２３】
投票券アレンジ対応投票コンピュータ４１はデータベース４２に投票応答管理用及び投票結果履歴データベース４２ｘ、４２ｙを備えて、選択購入要求受信手段４１ａ、最新投票情報受信手段４１ｂ、投票券アレンジ手段４１ｃ、投票券受付処理手段４１ｄ、投票券処理結果通知手段４１ｅを備える。
【００２４】
ここで、選択購入要求受信手段４１ａは、投票券購入申込或は投票券アレンジ組合せ及びその購入申込アクセス信号を受信する。
【００２５】
最新投票情報受信手段４１ｂは、投票券アレンジが選択されている場合はユーザ指定場名・指定レースＮｏ．に関する現在時刻の投票情報をホスト計算機システム６０に接続し受信する。
【００２６】
投票券アレンジ手段４１ｃは、手段ｂによる最新投票情報によりユーザ指定購入条件の式別及び投票合計金額に少なくとも基づいて投票券購入組合せアレンジを所定のアルゴリズムで自動的に行う。
【００２７】
投票券受付処理手段４１ｄは、ユーザ指定の投票券或は投票券アレンジを生成された投票券の受付処理をホスト計算機システム４０へ送信して処理させ、その受付Ｎｏ．と結果データを受信する。
【００２８】
投票券処理結果通知手段４１ｅはその受付Ｎｏ．とその結果データをそのユーザの勝馬端末機へ返信し、データベース４２ｙに記録する。
次に、本発明の勝馬投票システムにおける第１の実施の形態の動作の流れを図３に示す。
【００２９】
図３は、Ｓ３１〜Ｓ３３は現金投票所設置における投票端末機１０の動作の流れを示し、Ｓ３４〜Ｓ３８はその端末機１０からの投票データ或はその投票券アレンジ条件データを受信して、投票購入処理をホスト計算機システム６０と交信して行う投票応答サブシステム４０の動作の流れを示す。
【００３０】
Ｓ３９はその投票券購入結果を受信した投票端末機１０の動作を示す。
【００３１】
次に、本発明の勝馬投票システムにおける第２の実施の形態の構成図を図２に示す。
【００３２】
２０はユーザ会員の投票端末機、５０はそれら投票端末機２０と通信回線９０を介してユーザ勝馬投票に応答する投票応答サブシステム、６０、７０は図１と同様にそれぞれ総合センタのホスト計算機システム、投票発券データ発信端末群である。
【００３３】
ここで、投票端末機２０は、中央制御部２１、通信回線接続部２２、ディスク装置２３、表示部２４、キー・マウス等の入力装置２５、バス２９よりなる。
【００３４】
ディスク装置２３には、少なくともユーザ投票端末機２０とその投票応答サブシステム５０との間の通信設定と投票応答の交信に必要な予め所定の入力項目が設定された入力画面の各手順を記録した投票・情報照会応答ソフトプログラム２３ａが投票応答サブシステム５０側で会員用に作成され、その応答ソフト２３ａがインストールされている。
【００３５】
通信回線接続部２２は、中央制御部２１に動作している手続ソフトによる通信環境設定で投票応答サブシステム５０に通信回線９０を経由して接続させるモデム等の接続回線である。
【００３６】
また、中央制御部２１は、応答ソフト２３ａを動作させ表示部２４へ表示させ（応答ソフト起動入力画面メニュー表示手段２１ａ）、そのメニューによりユーザに対して投票券の購入或はそのアレンジ組合せによる購入要求を少なくとも選択させ（選択投票券購入データ入力手段２１ｂ）、そのデータと共にそのユーザの会員ＩＤ及びパスワードとを投票応答サブシステム５０へ送信し（入力データ・パスワード送信手段２１ｃ）、そのサブシステム５０によってユーザが指定した投票券の受付処理の受付処理結果、或は生成される投票券アレンジ結果データ及びそのアレンジデータによる投票券受付処理結果を受信し、それらの結果データに基づいて投票結果の購入会計額と会員が投票購入前日までに予め振込むロック口座の残高とを受信し（投票結果・ロック口座残高受信手段２１ｄ）、表示部２４へ表示する（受信データ表示手段２１ｅ）。
【００３７】
一方、投票応答サブシステム５０は、少なくとも通信回線接続部５３、総合センタにあるホスト計算機システム６０との専用回線による接続部５４、データベース５２を備える投票券アレンジ対応投票コンピュータ５１とからなる。
【００３８】
投票券アレンジ対応投票コンピュータ５１は、データベース５２にユーザの会員データベース５２ｗと投票応答管理用及び投票結果履歴データベース５２ｘ、５２ｙを備えて、選択購入要求受信手段５１ａ、ユーザ認証手段５１ｂ、最新投票情報受信手段５１ｃ、投票券アレンジ手段５１ｄ、ロック口座確認手段５１ｅ、投票券受付処理手段５１ｆ、投票券処理結果通知手段５１ｇを備える。
【００３９】
ここで選択購入要求受信手段５１ａは、投票券購入申込或は投票券アレンジ組合せ及びその購入申込アクセス信号を受信する。
ユーザ認証手段５１ｂは、手段５１ａにより受信したユーザのＩＤ・パスワードを会員データベース５２ｗより検索してユーザ認証を行う。
【００４０】
最新投票情報受信手段５１ｃは、投票券アレンジが選択されている場合はユーザ指定場名・指定レースＮｏ．に関する最新の投票情報をホスト計算機システム６０に接続し、その情報を受信する。
【００４１】
投票券アレンジ手段５１ｄは、手段５１ｃによる最新投票情報により、ユーザ指定購入条件の式別及び投票合計金額に少なくとも基づいて投票券購入組合せアレンジを所定のアルゴリズムで自動的に行う。
ロック口座確認手段５１ｅは、ユーザの指定或は投票券アレンジで生成の投票券に基づいた合計購入金額が前記ロック口座に振込まれているかを会員データベース５２ｗにより確認する。
【００４２】
投票券受付処理手段５１ｆは、投票券の受付処理をホスト計算機システム６０へ送信して行わせ、受付Ｎｏ．処理結果データを受信する。
投票券処理結果通知手段５１ｇは、投票券受付Ｎｏ．と処理結果をそのユーザの勝馬投票端末機２０へ返信する。
【００４３】
次に本発明の勝馬投票システムにおける第２の実施の形態の動作の流れを図４、図５に示す。
【００４４】
図４、Ｓ４１〜４３はユーザ会員投票端末機２０は予め、サブシステム５０の勝馬投票管理運営側の発行する投票応答ソフトがインストールされた会員制の投票端末機２０である。
【００４５】
その端末機２０の応答ソフト２３ａを起動すると表示部とメニュー入力画面が表示され、ユーザは勝馬投票が逐次表示される入力画面に従って、システム側の必要とするデータを入力させるようになる。少なくとも通常の勝馬投票と、ユーザ購入条件を入力すればシステム側がユーザが指定した合計金額以内で勝馬投票券のアレンジを指定する投票券購入を選択するときの動作を示す。
【００４６】
図４のＳ４４から図５のＳ５３までは、その端末機２０からのデータを受信して応答する勝馬投票応答サブシステム５０の動作の流れを示す。そのサブシステム５０は全現金投票所から収集して投票データを計算しているセンタ及び情報センタからなる総合センタのホスト計算機システム６０と交信して投票の受付処理を行い受付Ｎｏ．を取得して端末機２０へ返信する流れを示す。
【００４７】
図５のＳ５４〜５６は、その返信を受信したユーザの端末機２０の動作を示す。
【００４８】
次に、図６にはユーザの記入する「ユーザ購入条件」のマークカードの一実施例を示す。このマークカードは図１の本発明の第１の実施の形態において使用する。端末機１０のカードリーダ１４により読み込まれる。
【００４９】
図２の本発明の第２の実施の形態においては応答ソフト２３ａの一連の表示入力画面の手続プログラムの中に図６と同様な入力画面があり、ユーザはその表面画面の中へ必要なデータを入力して「ユーザ購入条件」を入力する。
【００５０】
ここでの実施例は、場名、レース番号、式別はユーザは必ず１つだけ記入しなければならない。プラン（本命・中穴・大穴）は任意である。馬番号の記入も任意であり、優先１，２として２通り記入できる。
最後の投票合計金額は必ず記入を必要とする。
【００５１】
ここで、式別の選択にそれぞれ投票券アレンジ編集のアルゴリズムを設定し、アレンジが計算機により自動的に行われるようにしておく必要がある。
【００５２】
例えば式別の選択が図６のように馬連・ワイド・馬単・３連複とする場合は１例として以下のような所定のアルゴリズムを設定し、自動的に計算させ、アレンジを行う。
【００５３】
この投票券購入は発売単位金額は券面１枚につき１０００円単位とする。
券面１枚につき１０ベットの購入とし、金額は各ベット均一とする。
発売対象とする投票券は馬連・ワイド・馬単・３連複とする。
【００５４】
投票券アレンジ編集アルゴリズム＜いずれの場合も発売する馬組番は１０通りとする＞
▲１▼馬連またはワイドの場合
（１）優先馬番が記入されていない場合
任意の組み合わせから１０通りを選択する
（２）優先馬番Ａが１つ記入されている場合
優先馬番Ａを含む組み合わせのうち７通り
（３）Ａを除いた組み合わせから３通り選択する
優先馬番がＡ・Ｂ２つ記入されている場合
（４）Ａ−Ｂの組み合わせは必ず含む
Ａを含みＡ−Ｂ以外の組み合わせを４通り
（５）Ｂを含みＡ−Ｂ以外の組み合わせを４通り
ＡもＢも含まない組み合わせを１通り
【００５５】
▲２▼馬単の場合
（１）優先馬番が記入されていない場合
任意の組み合わせから１０通りを選択する
（２）優先馬番Ａが１つ記入されている場合
Ａが１着になる組み合わせ６通り
Ａが２着になる組み合わせ３通り
Ａを除いた組み合わせから１通り選択する
（３）優先馬番がＡ・Ｂ２つ記入されている場合
Ａ→Ｂ、Ｂ→Ａの組み合わせ２通りは必須
Ａが１着で２着がＢでない組み合わせ３通り
Ｂが１着で２着がＡでない組み合わせ３通り
Ａが２着で１着がＢでない組み合わせ１通り
Ｂが２着で１着がＡでない組み合わせ１通りを選択する
【００５６】
▲３▼３連複の場合
（１）優先馬番が記入されていない場合
任意の組み合わせから１０通りを選択する
（２）優先馬番Ａが１つ記入されている場合
Ａを含む組み合わせ８通り
Ａを含まない組み合わせ２通りを選択する
（３）優先馬番がＡ・Ｂ２つ記入されている場合
Ａ・Ｂをともに含む組み合わせ６通り
Ａを含みＢを含まない２通り
Ｂを含みＡを含まない２通りを選択する
【００５７】
また、プラン「本命」「中穴」「大穴」が選択されている場合は、上のアルゴリズムに沿って、組み合わせを選択する際に、
原則として
「本命」上位人気６分の１の中から選択する
「中穴」上位の次の人気３分の１の中から選択する
「大穴」下位人気２分の１の中から選択する
ことにする。
【００５８】
以上のような投票券アレンジ編集アルゴリズム以外にも多くのアルゴリズムが考えられるが、何れにしても、自動的にアレンジ結果を投票券アレンジ対応投票コンピュータ４１、５１は直ちに計算出力することができる。
【００５９】
【発明の効果】
本発明のユーザ購入条件による投票券組合せアレンジ機能を備える勝馬投票システムは以下のような効果を奏する。
【００６０】
すなわち、勝馬投票券の購入組合せのアレンジは、発売式別（馬連・馬単・ワイド・３連複）の増加により、非常に複雑な作業となっていたが、その投票券のアレンジ購入を最少必要な条件データをユーザが入力することにより、勝馬投票システム側がその投票券の組合せアレンジと購入を自動的に所定のアルゴリズムにより行うので、ビギナーや女性ファンまたは簡単な投票を希望する一般のファンにとって簡単に希望する条件に合致した投票を行なうことができる。
【００６１】
また、現金投票所の投票端末機でマークカードにそのユーザ購入条件を入力し、購入合計金額を投入すればその端末機からアレンジされた投票券或はそのレシートを容易に得ることができる。
【００６２】
また、ユーザの会員制投票端末機によっても、ユーザ購入条件を勝馬投票システム側と交信する表示入力画面から入力してアレンジされた投票券或はそのレシートを容易に得ることができる。
【図面の簡単な説明】
【図１】本発明の勝馬投票システムの構成図である（第１の実施の形態）。
【図２】本発明の勝馬投票システムの構成図である（第２の実施の形態）。
【図３】本発明の第１の実施の形態の動作の流れ図である。
【図４】本発明の第２の実施の形態の動作の流れ図である。
【図５】図４の続きの流れ図である。
【図６】ユーザの記入する「ユーザ購入条件」マークカードの一実施例を示す図である。
【符号の説明】
１０    現金投票所に設置した投票端末機
１１    中央制御部
１２    通信回線接続部
１３    ディスク装置
１４    コードリーダ
１５    表示部及び入力装置
１６    現金計数収納部
１７    発券機部
１９    バス
２０    ユーザ会員の投票端末機
２１    中央制御部
２２    通信回線接続部
２３    ディスク装置
２３ａ  投票・情報照会応答ソフト
２４    表示部
２５    入力装置
２９    バス
４０    投票応答サブシステム
４１    投票券アレンジ対応投票コンピュータ
４２    データベース
４３    通信回線接続部
４４    ホスト計算機接続部
５０    投票応答サブシステム
５１    投票券アレンジ対応投票コンピュータ
５２    データベース
５３    通信回線接続部
５４    ホスト計算機接続部
６０    総合センタのホスト計算機システム
７０    現金投票所の投票発券データ発信端末群
【図１】
0003682483.tif 000002
【図２】
0003682483.tif 000003
【図３】
0003682483.tif 000004
【図４】
0003682483.tif 000005
【図５】
0003682483.tif 000006
【図６】
0003682483.tif 000007